(57)【要約】【課題】転動体及び保持器の軸方向移動を抑制することを可能とし、以って耐久性の低下を抑制することができる複列軸受を提供する。【解決手段】内周面に第１の外側軌道面３ａ及び第２の外側軌道面３ｂを有する外輪３と、外周面に第１の内側軌道面２ａ及び第２の内側軌道面２ｂを有するシャフト２と、第１の外側軌道面３ａと第１の内側軌道面２ａとの間に配置された複数のボール４１と、第２の外輪軌道面３ｂと第２の内輪軌道面２ｂとの間に配置された複数のローラ４２と、複数のボール４１を転動可能に保持するボール保持器６、及び複数のローラ４２を転動可能に保持するローラ保持器７を有する保持部材５と、ローラ保持器７と軸方向に対向する第２のシール部材８２とを備え、保持部材５は、ボール保持器６とローラ保持器７とが連結されることにより、ローラ保持器７の第２のシール部材８２への軸方向移動が規制されている。【選択図】図１
2015021567.tif 000002
【特許請求の範囲】
【請求項１】
内周面に第１の外側軌道面及び第２の外側軌道面を有する外方部材と、
外周面に第１の内側軌道面及び第２の内側軌道面を有する内方部材と、
前記第１の外側軌道面と前記第１の内側軌道面との間に配置された複数の球状の第１の転動体と、
前記第２の外輪軌道面と前記第２の内輪軌道面との間に配置された複数の円柱状の第２の転動体と、
前記複数の第１の転動体を転動可能に保持する第１の保持部、及び前記複数の第２の転動体を転動可能に保持する第２の保持部を有する保持部材と、
前記第２の保持部と軸方向に対向し、前記外方部材と前記内方部材との間の空間をシールするシール部材とを備え、
前記保持部材は、前記第１の保持部と前記第２の保持部とが連結されることにより、前記第２の保持部の前記シール部材側への軸方向移動が規制されている
複列軸受。
【請求項２】
前記第１の保持部と前記第２の保持部とは別体であり、前記第１の保持部及び前記第２の保持部のうち一方の保持部に形成された凹部に他方の保持部に形成された突起が係合して連結されている、
請求項１に記載の複列軸受。
【請求項３】
前記凹部は、周方向に延在している、
請求項２に記載の複列軸受。
【請求項４】
前記第１の保持部と前記第２の保持部とが一体に連結されている、
請求項１乃至３のいずれか１項に記載の複列軸受。
【請求項５】
前記内方部材は、端部にエンジンの冷却水を循環させる羽根が設けられたシャフトであり、前記外方部材は、水ポンプのハウジングに取り付けられている、
請求項１に記載の複列軸受。
【発明の詳細な説明】
【技術分野】
【０００１】
本発明は、複列軸受に係り、特に自動車の内燃機関における冷却水用のポンプに使用される複列軸受に関する。
【背景技術】
【０００２】
従来、自動車の内燃機関における冷却水用のポンプに使用される水ポンプ軸受として、複列の転動体列を有する複列軸受が用いられている（例えば、特許文献１参照）。
【０００３】
特許文献１に記載の複列軸受は、内輪を構成するポンプ軸と、ポンプ軸の周囲に同軸配置された外輪とを有し、ポンプ軸と外輪との間の軸受内空間には、複数の球状の転動体からなるボール列及び複数の円筒状の転動体からなるローラ列が軸方向に複列に配置されている。また、外輪の軸方向両端とポンプ軸との間の軸受内空間には、一対の密封装置が設けられ、冷却水が高温になった際に発生する水蒸気の流出が抑止されている。
【０００４】
ボール列は、ポンプ軸の外周面及び外輪の内周面のそれぞれに形成された周溝間に配置され、ローラ列は、ポンプ軸の外周面及び外輪の内周面のそれぞれに形成された軌道面間に配置されている。ボール列は環状のボール保持器に保持され、ローラ列は環状のローラ保持器に保持されている。ボール保持器に保持されたボール列とローラ保持器との間には、ボール列とローラ列との離間間隔を維持するための環状スペーサが配置されている。
【０００５】
ローラ保持器には、連結爪が設けられており、環状スペーサには、ローラ保持器の連結爪に連結される連結凹部が設けられている。そして、連結爪を連結凹部に係合させてローラ保持器と環状スペーサとを連結し、この連結状態で組み付けを行うことにより、製造工程における環状スペーサの組み込みが容易になるとされている。
【先行技術文献】
【特許文献】
【０００６】
【特許文献１】特開２０００−５５０４３号公報
【発明の概要】
【発明が解決しようとする課題】
【０００７】
ところで、特許文献１のように構成された複列軸受においては、ローラ列がローラ保持器及び環状スペーサと共に密封装置側へ移動すると、ローラ保持器が密封装置に干渉することがある。これは、ローラ列がポンプ軸と外輪との間に寸法余裕をもって配置されているために、ローラ列における円筒状の転動体がポンプ軸と外輪との間の軸受内空間で傾斜した状態（スキュー状態）で転動すると、ローラ列にローラ保持器を密封装置側へ移動させる推力が作用し、ローラ保持器が密封装置側に押し出されることによるものである。
【０００８】
その結果、ローラ保持器が密封装置に押し付けられた状態で摺動すると、密封装置に摩耗あるいは変形が発生し、水蒸気の漏れ量が増大する等、耐久性に影響を与えることがある。
【０００９】
従って、本発明の目的は、転動体及び保持器の軸方向移動を抑制することを可能とし、以って耐久性の低下を抑制することができる複列軸受を提供することにある。
【課題を解決するための手段】
【００１０】
本発明は、上記目的を達成するために、内周面に第１及び第２の外輪軌道面を有する外方部材と、外周面に第１及び第２の内輪軌道面を有する内方部材と、第１の外輪軌道面と第１の内輪軌道面との間に配置された複数の球状の第１の転動体と、第２の外輪軌道面と第２の内輪軌道面との間に配置された複数の円筒状の第２の転動体と、前記複数の第１の転動体を転動可能に保持する第１の保持部、及び前記複数の第２の転動体を転動可能に保持する第２の保持部を有する保持部材と、前記第２の保持部と軸方向に対向し、前記外方部材と前記内方部材との間の空間をシールするシール部材と、を備え、前記保持部材は、前記第１の保持部と前記第２の保持部とが連結されることにより、前記第２の保持部の前記シール部材側への軸方向移動が規制されている複列軸受を提供する。
【発明の効果】
【００１１】
本発明によると、転動体及び保持器の軸方向移動を抑制することを可能とし、以って耐久性の低下を抑制することができる。
【図面の簡単な説明】
【００１２】
【図１】本発明の第１の実施の形態に係る水ポンプ用軸受、及び水ポンプ用軸受を備えた水ポンプの全体を示す断面図である。
【図２】図１のＡ部を拡大して示す部分拡大図である。
【図３】保持部材を構成するボール保持器及びローラ保持器の外観を示す斜視図である。
【図４】ボール保持器及びローラ保持器の断面を示す断面図である。
【図５】本発明の第２の実施の形態に係る水ポンプ用軸受のボール保持器及びローラ保持器の断面を示す断面図である。
【図６】本発明の第３の実施の形態に係る水ポンプ用軸受のボール保持器及びローラ保持器の断面を示す断面図である。
【図７】本発明の第４の実施の形態に係る水ポンプ用軸受の保持部材の断面を示す断面図である。
【発明を実施するための形態】
【００１３】
［第１の実施の形態］
本発明の第１の実施の形態に係る水ポンプ用軸受について、図１〜図４を参照して説明する。
【００１４】
（水ポンプ用軸受の全体構成）
図１は、本発明の第１の実施の形態に係る水ポンプ用軸受、及び水ポンプ用軸受を備えた水ポンプの全体を示す断面図である。図２は水ポンプ用軸受の要部を示す図１のＡ部拡大図である。
【００１５】
水ポンプ用軸受１は、内方部材としての軸状のシャフト２と、このシャフト２の外周に配置された外方部材としての円筒状の外輪３と、シャフト２と外輪３との間に介在する球状の第１の転動体としての複数のボール４１及び円筒状の第２の転動体としての複数のローラ４２と、複数のボール４１及び複数のローラ４２を転動可能に保持する保持部材５と、軸方向における保持部材５の両側でシャフト２と外輪３との間の空間をシールする第１及び第２のシール部材８１，８２とを備える複列軸受である。
【００１６】
保持部材５は、複数のボール４１を転動可能に保持する第１の保持部としてのボール保持器６、及び複数のローラ４２を転動可能に保持する第２の保持部としてのローラ保持器７からなる。ボール保持器６とローラ保持器７とは別体であり、保持部材５は、ボール保持器６とローラ保持器７とを軸方向に沿って連結して構成されている。保持部材５の詳細については後述する。
【００１７】
水ポンプ用軸受１は、外輪３がポンプハウジング９の軸受組付用筒９０内に圧入によって取り付けられることにより、ベルトプーリ１０とインペラ１１との間に介在して配置されている。ベルトプーリ１０には、エンジン（内燃機関）の補機ベルトが掛け回され、クランクシャフトに連結されたクランクプーリの回転によってシャフト２がベルトプーリ１０を介して回転駆動される。インペラ１１は、シャフト２と一体に回転し、エンジンの冷却水を循環させる。
【００１８】
（シャフト２の構成）
シャフト２は、複数のボール４１を転動させる第１の内側軌道面２ａ及び複数のローラ４２を転動させる第２の内側軌道面２ｂを外周面に有し、ポンプハウジング９の軸受組付用筒９０内に回転軸線Ｏの回りに回転可能に配置されている。シャフト２の一端部には弾性体からなるプーリシート１２を介してベルトプーリ１０が取り付けられ、他端部にはインペラ１１が取り付けられている。インペラ１１は、軸状の基部１１０、及び基部１１０を中心として放射状に設けられた羽根部１１１を有し、基部１１０とポンプハウジング９との間には環状のシール部材１３が配置されている。
【００１９】
（外輪３の構成）
外輪３は、複数のボール４１を転動させる第１の外側軌道面３ａ及び複数のローラ４２を転動させる第２の外側軌道面３ｂを内周面に有し、シャフト２の外側でポンプハウジング９の軸受組付用筒９０内に圧入されている。外輪３の軸方向両端部のうち、インペラ１１側の端部には、第１のシール部材８１を嵌め合い固定するシール嵌合溝３ｃが形成され、ベルトプーリ１０側の端部には、第２のシール部材８２を嵌め合い固定するシール嵌合溝３ｄが形成されている。
【００２０】
（ボール４１及びローラ４２の構成）
ボール４１は球状であり、シャフト２及び外輪３の周方向に沿って複数個が配置され、ボール列４１０を構成している。複数のボール４１は、シャフト２の第１の内側軌道面２ａと外輪３の第１の外側軌道面３ａとの間に等間隔に配置されている。第１の内側軌道面２ａは、回転軸線Ｏを含む平面でシャフト２を切断した断面において、内方に向かって窪んだ円弧状である。また、第１の外側軌道面３ａは、回転軸線Ｏを含む平面で外輪３を切断した断面において、外方に向かって窪んだ円弧状である。
【００２１】
ローラ４２は円柱状のころであり、シャフト２及び外輪３の周方向に沿って複数個が配置され、ローラ列４２０を構成している。複数のローラ４２は、シャフト２の第２の内側軌道面２ｂと外輪３の第２の外側軌道面３ｂとの間に等間隔に配置されている。第２の内側軌道面２ｂ及び第２の外側軌道面３ｂは、回転軸線Ｏと平行な円筒状に形成され、ローラ列４２０を介して回転軸線Ｏの径方向に対向している。
【００２２】
ボール列４１０とローラ列４２０とは、回転軸線Ｏに沿って並列し、ボール列４１０がインペラ１１側に、ローラ列４２０がベルトプーリ１０側に、それぞれ配置されている。
【００２３】
（第１のシール部材８１及び第２のシール部材８２の構成）
第１及び第２のシール部材８１，８２は、保持部材５を介して互いに対向するように、シャフト２の外周面と外輪３の内周面との間に配置されている。
【００２４】
第１のシール部材８１は、金属からなる芯金８１０及びゴム等の弾性体からなるシール部８１１を有し、芯金８１０の外周部が外輪３のシール嵌合溝３ｃに嵌合されている。シール部８１１は、芯金８１０に接合された基部片８１２、及びシャフト２の外周面に摺接する第１及び第２のシールリップ８１３，８１４からなる。第１及び第２のシールリップ８１３，８１４は、基部片８１２と一体で、基部片８１２の内径側の端部から二股に分かれて形成されている。基部片８１２は、例えば加硫接着により芯金８１０に接合されている。第１のシール部材８１は、ボール保持器６と軸方向に対向している。
【００２５】
第２のシール部材８２も、第１のシール部材８１と同様に構成されている。すなわち、第２のシール部材８２は、金属からなる芯金８２０及びゴム等の弾性体からなるシール部８２１を有し、芯金８２０の外周部が外輪３のシール嵌合溝３ｄに嵌合されている。シール部８２１は、芯金８２０に接合された基部片８２２、及びシャフト２の外周面に摺接する第１及び第２のシールリップ８２３，８２４からなる。第１及び第２のシールリップ８２３，８２４は、基部片８２２と一体で、基部片８２２の内径側の端部から二股に分かれて形成されている。基部片８２２は、例えば加硫接着により芯金８２０に接合されている。第２のシール部材８２は、ローラ保持器７と軸方向に対向している。
【００２６】
（保持部材５の構成）
図３は保持部材５を構成するボール保持器６及びローラ保持器７の外観を示す斜視図である。図４はボール保持器６及びローラ保持器７の断面を示す断面図である。
【００２７】
ボール保持器６は、複数のボール４１をそれぞれ転動可能に保持する複数の保持孔６ａが形成された環状の部材であり、例えばガラス繊維を含有するナイロン等の繊維強化樹脂の成形体からなる。保持孔６ａは、その内面６ｂがボール４１の外面に沿うように湾曲した円弧状に形成されている。保持孔６ａの内径は、ボール４１の外径よりも僅かに大きく、ボール４１は保持孔６ａに収容された状態で転動可能である。
【００２８】
また、ボール保持器６は、第１のシール部材８１に対向する環状の基部６０と、基部６０から第２のシール部材８２側（ローラ保持器７側）に突出し、隣り合う保持孔６ａを区画する複数の突部６１とを有している。
【００２９】
本実施の形態では、ボール保持器６に７つの保持孔６ａが形成され、これらの保持孔６ａが７つの突部６１によってそれぞれ区画されている。７つの突部６１のうち、３つの突部６１の先端側には、ローラ保持器７との連結のための板状の連結片６２が形成されている。また、これら３つの突部６１を除く残り４つの突部６１の先端側には、保持孔６ａに収容されたボール４１を抜け止めするための一対の突片６３，６３が形成されている。一対の突片６３，６３は、ボール４１の外面に沿うように、突部６１の先端から互いに逆方向に向かって周方向に突き出ている。
【００３０】
連結片６２は、回転軸線Ｏと平行な方向に沿って延在する延在部６２０と、延在部６２０におけるローラ保持器７側の先端部に設けられ、内方に向かって突出する係合突起６２１とを有している。係合突起６２１の内面６２１ａは、ローラ保持器７側の先端部ほどシャフト２の外周面から離間するテーパ状に形成されている。この係合突起６２１は、次に述べるローラ保持器７の係合凹部７１１に係合する。
【００３１】
ローラ保持器７は、複数のローラ４２をそれぞれ転動可能に保持する複数（１２個）の保持孔７ａが形成された環状の部材であり、例えばガラス繊維を含有するナイロン等の繊維強化樹脂の成形体からなる。保持孔７ａは、ローラ保持器７の外周側から見た場合に、回転軸線Ｏに平行な軸方向長さが周方向の幅よりも長い長方形状であり、保持孔７ａの軸方向長さはローラ４２の軸方向長さよりも僅かに長く、保持孔７ａの周方向の幅はローラ４２の外径よりも僅かに大きく形成されている。
【００３２】
ローラ保持器７は、保持孔７ａのボール保持器６側に形成された第１円環部７１と、保持孔７ａの第２のシール部材８２に形成され、第２のシール部材８２と軸方向に対向する端面７２ａを有する第２円環部７２と、第１円環部７１と第２円環部７２とを径方向に連結する複数の柱部７３とを一体に有している。
【００３３】
第１円環部７１には、ローラ保持器７の周方向に延在して形成された係合凹部７１１が外周面７１ａに形成されている。本実施の形態では、係合凹部７１１が、第１円環部７１の全周に亘って環状に形成されている。また、第１円環部７１には、係合凹部７１１よりもボール保持器６側の先端部に、係合突起６２１の内面６２１ａに向かい合うように傾斜した傾斜面７１２ａを有するテーパ部７１２が形成されている。
【００３４】
ボール保持器６及びローラ保持器７は、ローラ保持器７に形成された係合凹部７１１に、ボール保持器６に形成された係合突起６２１が係合して連結されている。そして、保持部材５は、ボール保持器６とローラ保持器７とが連結されることにより、ローラ保持器７の第２のシール部材８２側への軸方向移動が規制されている。つまり、水ポンプ用軸受１は、ローラ保持器７の第２のシール部材８２側への移動を規制する移動規制構造を有している。
【００３５】
この移動規制構造は、複数のボール４１の回転軸線Ｏに沿った方向の移動が円弧溝状に形成されたシャフト２の第１の内側軌道面２ａと外輪３の第１の外側軌道面３ａによって規制されていることに着目し、この複数のボール４１を保持するボール保持器６にローラ保持器７を連結することにより、ローラ保持器７の軸方向移動を規制するものである。つまり、複数のボール４１は、第１の内側軌道面２ａ及び第１の外側軌道面３ａに一部が嵌入されているので、複数のボール４１は回転軸線Ｏに沿った方向の移動が規制されており、この複数のボール４１を保持するボール保持器６もまた、複数のボール４１によって回転軸線Ｏに沿った方向の移動が規制されている。そして、ボール保持器６の係合突起６２１とローラ保持器７の係合凹部７１１とを係合させることで、ローラ保持器７の軸方向移動が規制されている。
【００３６】
（水ポンプ用軸受１の組付方法）
次に、水ポンプ用軸受１の軸受組付用筒９０内への組付方法の一例について説明する。
【００３７】
水ポンプ用軸受１の組み付けにおいては、ボール４１及びボール保持器６の組付工程、ローラ４２及びローラ保持器７の組付工程、ならびに第１及び第２のシール部材８１，８２の組付工程の各工程が順次実施される。
【００３８】
（ボール４１及びボール保持器６の組付工程）
複数のボール４１及びボール保持器６をシャフト２と外輪３との間に組み付けるには、まずシャフト２に対して外輪３を偏心させ、シャフト２の外周面と外輪３の内周面との間にボール４１の直径よりも大きな幅の隙間を形成し、この隙間から複数のボール４１を第１の内側軌道面２ａと第１の外側軌道面３ａとの間に挿入する。その後、シャフト２と外輪３とを同軸上に芯合わせして複数のボール４１を等間隔に配置した状態で、外輪３の一方の端部からボール保持器６を挿入する。この際、ボール保持器６の一対の突片６３，６３は、ボール４１に当接して押し広げられ、複数の保持孔６ａのそれぞれにボール４１が収容される。
【００３９】
（ローラ４２及びローラ保持器７の組付工程）
複数のローラ４２及びローラ保持器７をシャフト２と外輪３との間に組み付けるには、予めローラ保持器７の複数の保持孔７ａのそれぞれにローラ４２を収容し、その状態でローラ保持器７を複数のローラ４２と共に外輪３の他方の端部から挿入する。この際、ローラ保持器７の第１円環部７１におけるテーパ部４１２の傾斜面７１２ａがボール保持器６の係合突起６２１における内面６２１ａに当接し、連結片６２の複数の延在部６２０が外方に押し広げられる。そして、ローラ保持器７がさらにボール保持器６側に移動すると、ボール保持器６の係合突起６２１の一部がローラ保持器７の係合凹部７１１に嵌まり込み、係合突起６２１と係合凹部７１１とが係合する。これにより、ボール保持器６とローラ保持器７とが連結される。
【００４０】
（第１及び第２のシール部材８１，８２の組付工程）
第１及び第２のシール部材８１，８２は、ボール４１及びボール保持器６、ならびにローラ４２及びローラ保持器７をシャフト２と外輪３との間に組み付けた後、外輪３の端部から外輪３とシャフト２との間に挿入して組み付けられる。
【００４１】
第１のシール部材８１は、外輪３のシール嵌合溝３ｃに芯金８１０の外周部が嵌合され、ボール保持器６に軸方向に対向して組み付けられる。第２のシール部材８２は、外輪３のシール嵌合溝３ｄに芯金８２０の外周部が嵌合され、ローラ保持器７に軸方向に対向して組み付けられる。
【００４２】
以上の工程によって水ポンプ用軸受１の組み付けが行われる。このように組み付けられた水ポンプ用軸受１は、外輪３がポンプハウジング９の軸受組付用筒９０に圧入され、シャフト２の一端部にインペラ１１が取り付けられ、かつシャフト２の他端部にベルトプーリ１０が取り付けられて、水ポンプ１００を構成する。
【００４３】
（水ポンプ１００の動作）
水ポンプ１００における通常の動作は、従来と同様にして行われる。すなわち、車両のエンジンの駆動力が補機ベルトを介してベルトプーリ１０に伝達され、シャフト２が外輪３に対して回転駆動される。これにより、シャフト２の一端部に取り付けられたインペラ１１がシャフト２と共に回転し、インペラ１１の羽根部１１１がエンジンの冷却水を循環させる。
【００４４】
シャフト２が回転駆動される際、ローラ４２がローラ保持器７の保持孔７ａ内で傾き、スキュー状態で転動すると、ローラ４２がローラ保持器７の第２円環部７２に当接し、ローラ保持器７が第２のシール部材８２側に向かって押し付けられる場合がある。
【００４５】
しかし、本実施の形態では、ローラ保持器７がボール保持器６に連結され、ローラ保持器７の第２のシール部材８２側への軸方向移動が規制されているので、ローラ保持器７が第２のシール部材８２に接触してしまうことが防止される。これにより、第２のシール部材８２の摩耗や変形が抑制され、水ポンプ用軸受１の耐久性の低下を抑制することができる。
【００４６】
［第１の実施の形態の効果］
以上説明した第１の実施の形態によれば、次に示す効果が得られる。
【００４７】
（１）ボール保持器６の係合突起６２１がローラ保持器７の係合凹部７１１に係合し、ボール保持器６とローラ保持器７とが連結されるので、ローラ保持器７の第２のシール部材８２側への移動が規制され、ローラ保持器７と第２のシール部材８２との接触を防止することができ、第２のシール部材８２の摩耗や変形が抑制される。これにより、水ポンプ用軸受１の耐久性を向上させることができる。
【００４８】
（２）ボール保持器６とローラ保持器７とは別体であり、水ポンプ用軸受１の組み付け時に外輪３の内部で互いに押し付けられて連結されるので、ボール４１及びボール保持器６の組み付け、ならびにローラ４２及びローラ保持器７の組み付けを容易に行うことができる。
【００４９】
（３）ローラ保持器７の係合凹部７１１は周方向に延在して環状に形成されているので、ボール保持器６とローラ保持器７とを連結する際に、互いの回転方向の位置を合わせることなく、係合突起６２１と係合凹部７１１とを係合させることができる。また、ボール列４１０のピッチ円径とローラ列４２０のピッチ円径とが異なり、シャフト２の回転に伴うボール保持器６の回転速度とローラ保持器７の回転速度とが異なる場合でも、この回転速度の差が係合凹部７１１と係合突起６２１との係合部で吸収され、シャフト２を円滑に回転させることができる。つまり、ボール保持器６とローラ保持器７との間に相対回転が生じると、係合突起６２１が係合凹部７１１に係合したままの状態で、係合突起６２１が係合凹部７１１に沿って周方向に滑り、ボール保持器６とローラ保持器７との間の相対回転が吸収され、ボール４１及びローラ４２の円滑な回転が保たれる。
【００５０】
［第２の実施の形態］
図５は、本発明の第２の実施の形態に係る水ポンプ用軸受のボール保持器６Ａ及びローラ保持器７Ａの断面を示す断面図である。なお、図５以降の各図面において、第１の実施の形態について説明した構成要素と実質的に共通の機能を有する構成要素については、同一の符号を付してその重複した説明を省略する。
【００５１】
第２の実施の形態に係る水ポンプ用軸受は、ボール保持器６Ａ及びローラ保持器７Ａの形状が第１の実施の形態に係るボール保持器６及びローラ保持器７の形状と異なる他は、第１の実施の形態に係る水ポンプ用軸受１と同様に構成されているので、ボール保持器６Ａ及びローラ保持器７Ａの形状が異なる部分について主として説明し、その他の部分については重複した説明を省略する。
【００５２】
第１の実施の形態では、ボール保持器６の係合突起６２１が延在部６２０の先端部において内方に向かって突出するように設けられていたが、本実施の形態では、ボール保持器６Ａの係合突起６２１が延在部６２０の先端部において外方に向かって突出するように設けられている。この係合突起６２１の外面６２１ｂは、ローラ保持器７Ａ側の先端部ほど外輪３の内周面から離間するテーパ状に形成されている。
【００５３】
また、第１の実施の形態では、ローラ保持器７Ａの係合凹部７１１が第１円環部７１の外周面７１ａに形成されていたが、本実施の形態では、係合凹部７１１が第１円環部７１の内周面７１ｂに形成されている。この係合凹部７１１は、第１円環部７１の内周面７１ｂの全周に亘って環状に形成され、シャフト２側に開口している。
【００５４】
ボール保持器６Ａ及びローラ保持器７Ａは、係合突起６２１が係合凹部７１１に係合することにより、軸方向の相対移動が規制され、保持部材５Ａを構成する。この保持部材５Ａを備えた本実施の形態に係る水ポンプ用軸受の組付方法及び動作は、第１の実施の形態と同様である。
【００５５】
本実施の形態によっても、ローラ保持器７の第２のシール部材８２側への移動が規制されることにより第２のシール部材８２の摩耗や変形が抑制され、第１の実施の形態の場合と同様の作用及び効果が得られる。
【００５６】
［第３の実施の形態］
図６は、本発明の第３の実施の形態に係る水ポンプ用軸受のボール保持器６Ｂ及びローラ保持器７の断面を示す断面図である。第３の実施の形態に係る水ポンプ用軸受は、ボール保持器６Ｂの形状が第１の実施の形態に係るボール保持器６の形状と異なる他は、第１の実施の形態に係る水ポンプ用軸受１と同様に構成されているので、ボール保持器６Ｂの形状が異なる部分について主として説明し、その他の部分については重複した説明を省略する。
【００５７】
第１の実施の形態では、ボール保持器６の連結片６２が突部６１の先端側に形成されていたが、本実施の形態では、連結片６２が基部６０における突部６１とは反対側の端面からローラ保持器７に向かって、突部６１とは反対方向に突出している。つまり、本実施の形態に係るボール保持器６Ｂは、基部６０から第１のシール部材８１側に向かって突部６１が突出し、その反対側（第２のシール部材８２側）に向かって複数（３つ）の連結片６２が突出している。連結片６２は、第１の実施の形態と同様に、係合突起６２１が延在部６２０の先端部において内方に向かって突出するように設けられている。
【００５８】
このボール保持器６Ｂの係合突起６２１は、第１の実施の形態の場合と同様に構成されたローラ保持器７の係合凹部７１１に係合し、ボール保持器６Ｂとローラ保持器７とが連結されて保持部材５Ｂが構成される。この保持部材５Ｂは、ボール保持器６Ｂが外輪３とシャフト２との間にシール嵌合溝３ｄ側の端部から挿入される他は、第１の実施の形態と同様に組み付けられる。
【００５９】
本実施の形態によっても、ローラ保持器７の第２のシール部材８２側への移動が規制されることにより第２のシール部材８２の摩耗や変形が抑制され、第１の実施の形態の場合と同様の作用及び効果が得られる。
【００６０】
［第４の実施の形態］
図７は、本発明の第４の実施の形態に係る水ポンプ用軸受の保持部材５Ｃの断面を示す断面図である。第４の実施の形態に係る水ポンプ用軸受は、複数のボール４１を転動可能に保持する保持孔６ａが形成された第１の保持部としてのボール保持部５ａと、複数のローラ４２を転動可能に保持する保持孔７ａが形成された第２の保持部としてのローラ保持部５ｂとが連結部５０を介して一体に連結されている。
【００６１】
ボール保持部５ａは、例えば第３の実施の形態に係るボール保持器６Ｂと同様に、環状の基部６０と、基部６０から突出した複数の突部６１とを一体に有している。突部６１は、第１のシール部材８１側に向かって突出し、突部６１の先端部には、保持孔６ａに収容されたボール４１を抜け止めするための一対の突片６３，６３が形成されている。
【００６２】
ローラ保持部５ｂは、例えば第１の実施の形態に係るローラ保持器７と同様に、保持孔７ａのボール保持部５ａ側に形成された第１円環部７１と、保持孔７ａの第２のシール部材８２に形成された第２円環部７２と、第１円環部７１と第２円環部７２とを径方向に連結する複数の柱部７３とを一体に有している。
【００６３】
ボール保持部５ａの基部６０と、ローラ保持部５ｂの第１円環部７１とは、環状の連結部５０によって一体に連結され、保持部材５Ｃを構成している。この保持部材５の組み付けは、シャフト２と外輪３との間に複数のボール４１を等間隔に配置した状態で、ローラ保持部５ｂの複数の保持孔７ａにローラ４２が収容された保持部材５Ｃを、シール嵌合溝３ｄ側の端部から挿入することにより行われる。
【００６４】
本実施の形態によっても、ローラ保持部５ｂを含む保持部材５Ｃの第２のシール部材８２側への移動が規制されることにより、第２のシール部材８２の摩耗や変形が抑制され、第１の実施の形態の場合と同様の作用及び効果が得られる。また、ボール保持部５ａとローラ保持部５ｂとが一体であるので、部品点数を削減することができ、組み付けの容易化を図ることが可能となる。
【００６５】
以上、本発明の水ポンプ用軸受を上記第１乃至第４の実施の形態に基づいて説明したが、本発明は上記第１乃至第４の実施の形態に限定されるものではなく、その要旨を逸脱しない範囲で種々の態様において実施することが可能であり、例えば次に示すような他の変形も可能である。
【００６６】
（１）上記各実施の形態では、ボール４１を保持する保持孔６ａの個数が７個であり、ローラ４２を保持する保持孔７ａの個数が１２個である場合について説明したが、保持孔６ａ，７ａの数はこれに限定されず、水ポンプ用軸受に作用する荷重等に応じて適宜設定することが可能である。
【００６７】
（２）上記各実施の形態では、ボール列４１０がインペラ１１側に配置され、ローラ列４２０がベルトプーリ１０側に配置された場合について説明したが、これに限らず、ボール列４１０がベルトプーリ１０側に配置され、ローラ列４２０がインペラ１１側に配置されていてもよい。
【符号の説明】
【００６８】
１…水ポンプ用軸受、２…シャフト、２ａ…第１の内側軌道面、２ｂ…第２の内側軌道面、３…外輪、３ａ…第１の外側軌道面、３ｂ…第２の外側軌道面、３ｃ，３ｄ…シール嵌合溝、５，５Ａ，５Ｂ，５Ｃ…保持部材、５ａ…ボール保持部、５ｂ…ローラ保持部、６，６Ａ，６Ｂ……ボール保持器、６ａ…保持孔、６ｂ…内面、７，７Ａ…ローラ保持器、７ａ…保持孔、９…ポンプハウジング、１０…ベルトプーリ、１１…インペラ、１２…プーリシート、１３…シール部材、４１…ボール、４２…ローラ、５０…連結部、６０…基部、６１…突部、６２…連結片、６３…突片、７１…第１円環部、７１ａ…外周面、７１ｂ…内周面、７２…第２円環部、７２ａ…端面、７３…柱部、８１…第１のシール部材、８２…第２のシール部材、９０…軸受組付用筒、１００…水ポンプ、１１０…基部、１１１…羽根部、４１０…ボール列、４１２…テーパ部、４２０…ローラ列、６２０…延在部、６２１…係合突起、６２１ａ…内面、６２１ｂ…外面、７１１…係合凹部、７１２…テーパ部、７１２ａ…傾斜面、８１０…芯金、８１１…シール部、８１２…基部片、８１３，８１４…第１及び第２のシールリップ、８２０…芯金、８２１…シール部、８２２…基部片、８２３，８２４…第１及び第２の…シールリップ、Ｏ…回転軸線
【図１】
2015021567.tif 000003
【図２】
2015021567.tif 000004
【図３】
2015021567.tif 000005
【図４】
2015021567.tif 000006
【図５】
2015021567.tif 000007
【図６】
2015021567.tif 000008
【図７】
2015021567.tif 000009